(57)【特許請求の範囲】
【請求項１】
第一部材に該第一部材の上面に重合する第二部材を起伏回動自在に枢着するヒンジ装置であって、前記第二部材の端部に設けた取付部に嵌着される第一連結体と、この第一連結体に対して相対回動自在に連結され前記第一部材の前端部に設けた取付部に嵌着される第二連結体とを有して、前記第二部材を前記第一部材に対して重合した閉塞状態から開放状態となるまで回動付勢する回動付勢部と、この回動付勢部が作動するよう操作する開放操作部に付与した操作動力を前記回動付勢部に伝達する動力伝達部とを有し、この動力伝達部は、前記開放操作部の操作動力を受ける動力受け部を力点として擺動する擺動体の作用点が前記回動付勢部が作動するよう作用する作用部として機能するように設けて構成されており、前記開放操作部は、前記第一部材の側面にして前記第二部材の前記取付部と枢着部を構成する前記第一部材の前記取付部よりも後端側の部位に設けられていることを特徴とするヒンジ装置。
【請求項２】
前記回動付勢部に設けた被押圧部に対する押し込み操作により作動するように前記回動付勢部は構成されており、前記擺動体の擺動により前記被押圧部を押圧する作用部を前記擺動体に設けたことを特徴とする請求項１記載のヒンジ装置。
【請求項３】
前記開放操作部は付勢体の戻り付勢に抗して第一部材の長さ方向にスライド自在に設けられており、この付勢体の戻り付勢に抗した前記開放操作部のスライド操作により動力受け部に該開放操作部の操作動力を付与し得るように構成されていることを特徴とする請求項１，２のいずれか１項に記載のヒンジ装置。
【請求項４】
上面に操作部を備えた本体部を前記第一部材とし、伏面にディスプレイ部を備えた重合部を前記第二部材とし、この本体部と重合部との端部同士を前記請求項１〜３のいずれか１項に記載のヒンジ装置によって枢着連結したことを特徴とするヒンジ装置を用いた電子機器。
【発明の詳細な説明】
【技術分野】
【０００１】
本発明は、例えば、第一部材と第二部材との基端部同士を枢着して、双方が重合した閉塞状態から第一部材に対して第二部材を所定角度（例えば１８０度近く）まで回動した開放状態に開閉できるヒンジ装置、並びにこのヒンジ装置を用いた例えば携帯電話やノート型パソコンなどの電子機器に関するものである。
【背景技術】
【０００２】
本出願人は、国際公開されたＷＯ ００／５０７８０公報に示すように、ワンタッチで本体部（例えば上面に操作部を備えた筐体）に対して重合部（例えば伏面にディスプレイ部を備えた筐体）が開放するヒンジ装置（以下、従来例）を開発した。
【０００３】
この従来例では、折り畳みタイプの携帯電話に適用した場合、このヒンジ装置に設けた解除操作部（押込ボタン）を指で押すだけで閉塞付勢されている例えばディスプレイ部が自動的に一挙に開放回動することになる。
【０００４】
【特許文献１】ＷＯ ００／５０７８０公報
【発明の開示】
【発明が解決しようとする課題】
【０００５】
この自動開放機能を果たす従来例は、閉塞付勢機能を果たしながらも、ワンタッチで自動開放する構造を実現するものであるが、ワンタッチで例えば重合部が一挙に開放するため、その勢いによりしっかり手で支えていないと、即ち携帯式電話においては、例えば本体部をしっかり持っていないと、手から落下してしまうおそれがある。
【０００６】
具体的には、従来例は、前述した押込ボタンが本体部と重合部との枢着部の端部に突出した状態（枢着部及びヒンジ装置の同一軸延長線上）に設けられているが、この押込ボタンを押した際、この押込ボタンを押す指が回転する支点となり、重合部が開放した際の勢いで本体部もつられて回転することで落下してしまう場合がある。
【０００７】
この問題は、重合部の開放を良好にすべく開放付勢バネとして強いバネが使用される、薄型化の傾向にある本体部が持ちにくい（本体部の側部の面積が狭い）、大型ディスプレイ部の採用による重合部の大型化（開放した際の遠心力の増加）など、近年、落下し易い条件が増えてきていることから益々増加傾向にある。
【０００８】
本発明者は、前述した自動開放機能を果たすヒンジ装置に更なる実験・研究を重ね、その結果、極めて商品価値の高い画期的なヒンジ装置並びにヒンジ装置を用いた携帯式電子機器を開発した。
【課題を解決するための手段】
【０００９】
添付図面を参照して本発明の要旨を説明する。
【００１０】
第一部材１に該第一部材１の上面１Ａに重合する第二部材２を起伏回動自在に枢着するヒンジ装置であって、前記第二部材２の端部に設けた取付部２ａに嵌着される第一連結体３Ａと、この第一連結体３Ａに対して相対回動自在に連結され前記第一部材１の前端部に設けた取付部１ａに嵌着される第二連結体３Ｂとを有して、前記第二部材２を前記第一部材１に対して重合した閉塞状態から開放状態となるまで回動付勢する回動付勢部３と、この回動付勢部３が作動するよう操作する開放操作部４に付与した操作動力を前記回動付勢部３に伝達する動力伝達部５とを有し、この動力伝達部５は、前記開放操作部４の操作動力を受ける動力受け部７ａを力点として擺動する擺動体７の作用点が前記回動付勢部３が作動するよう作用する作用部７ｂとして機能するように設けて構成されており、前記開放操作部４は、前記第一部材１の側面にして前記第二部材２の前記取付部２ａと枢着部６を構成する前記第一部材１の前記取付部１ａよりも後端側の部位に設けられていることを特徴とするヒンジ装置に係るものである。
【００１１】
また、前記回動付勢部３に設けた被押圧部３ａに対する押し込み操作により作動するように前記回動付勢部３は構成されており、前記擺動体７の擺動により前記被押圧部３ａを押圧する作用部７ｂを前記擺動体７に設けたことを特徴とする請求項１記載のヒンジ装置に係るものである。
【００１２】
また、前記開放操作部４は付勢体10の戻り付勢に抗して第一部材１の長さ方向にスライド自在に設けられており、この付勢体10の戻り付勢に抗した前記開放操作部４のスライド操作により動力受け部７ａに該開放操作部４の操作動力を付与し得るように構成されていることを特徴とする請求項１，２のいずれか１項に記載のヒンジ装置に係るものである。
【００１３】
また、上面１Ａに操作部11を備えた本体部を前記第一部材１とし、伏面にディスプレイ部12を備えた重合部を前記第二部材２とし、この本体部と重合部との端部同士を前記請求項１〜３のいずれか１項に記載のヒンジ装置によって枢着連結したことを特徴とするヒンジ装置を用いた電子機器に係るものである。
【発明の効果】
【００１４】
本発明は上述のように構成したから、前述した従来から提案されるものに比し、第一部材に対して第二部材を開放した際の勢いで落下させてしまうことが可及的に防止されることになり、しかも、少ない力で作動させることができ、第一部材に対する第二部材の開放操作が簡易且つ楽に行え実用性に秀れるなど極めて商品価値の高い画期的なヒンジ装置となる。
【００１５】
また、請求項２記載の発明においては、簡易な構造で確実に回動付勢部を作動させることができることになるなど実用性に秀れたヒンジ装置となる。
【００１６】
また、請求項３記載の発明においては、常に回動付勢部を作動させる為の状態が得られることになるなど実用性に秀れたヒンジ装置となる。
【００１７】
また、請求項４記載の発明においては、前述のような作用効果を発揮する画期的な電子機器を提供できることとなる。
【発明を実施するための最良の形態】
【００１８】
好適と考える本発明の実施形態を、図面に基づいて簡単に説明する。
【００１９】
本発明は、第一部材１に設けた開放操作部４を操作して回動付勢部３を作動させると、第二部材２はこの回動付勢部３により回動付勢され、第一部材１に対して重合した閉塞状態から開放状態となる。
【００２０】
ところで、本発明は、前記第二部材２を前記第一部材１に対して重合した閉塞状態から開放状態となるまで回動付勢する回動付勢部３と、この回動付勢部３が作動するよう操作する開放操作部４に付与した操作動力を前記回動付勢部３に伝達する動力伝達部５とを有し、前記開放操作部４を前記第一部材１の側部にして前記第二部材２との枢着部６よりも基端側の部位に設けた構成であり、この構成から、前述した従来例のような第二部材２の開放時に落下させてしまうことを可及的に防止することができる。
【００２１】
即ち、本発明は、回動付勢部３を作動するよう操作する開放操作部４を該回動付勢部３と離れた位置から動力伝達部５を介して確実に操作し得る構成であり、よって、この開放操作部４を第一部材１の側部にして前記第二部材２との枢着部６よりも基端側の部位に設けることができる。
【００２２】
従って、前述した従来から提案されるものと異なり、開放操作部４を操作する指が第一部材１の回転支点となる部位から離れた位置で操作し得る構造にできるから、この開放操作部４を操作して第二部材２が回動付勢部３の回動付勢により開放してその衝撃が第一部材１に掛かった際、第一部材１を回転させてしまうことなく該第一部材１を堅固に持った状態が得られることになり、よって、落下させてしまうことを可及的に防止することができる。
【００２３】
また、本発明は、動力伝達部５は、前記開放操作部４の操作動力を受ける動力受け部７ａを力点として擺動する擺動体７の作用点が前記回動付勢部３が作動するよう作用する作用部７ｂとして機能するように設けて構成されており、梃子の原理を利用して少ない力で作動させることができ、第一部材１に対する第二部材２の開放操作が簡易且つ楽に行えることになり、しかも、この点においても落下させてしまうことが可及的に防止されることになる。
【実施例】
【００２４】
本発明の具体的な一実施例について図面に基づいて説明する。
【００２５】
本実施例は、ヒンジ装置を用いた電子機器として図１に示すような携帯電話に本発明を適用したもので、回路基板，電源などの電子部品をケース内に内装すると共に、上面１Ａに数字キーやファンクションキーなどを配列したキーボード機能を果たす操作部11を備えた板状の本体部（筐体）を第一部材１とし、この本体部１に重合して操作部11を覆う略同形状のディスプレイ部12を設けた板状の重合部（筐体）を第二部材２とし、この本体部１と重合部２とを起伏回動自在にヒンジ装置により軸着連結した構成としている。
【００２６】
具体的には、重合部２を回動付勢する回動付勢部３を具備し、この回動付勢部３は前記本体部１に設けた開放操作部４の操作により作動して前記第二部材２を前記第一部材１に対して重合した閉塞状態から開放状態となるまで回動付勢するように構成されている。
【００２７】
回動付勢部３は、図２，３に図示したように重合部２の基端部に設けられる取付部２ａに嵌着する第一連結体３Ａと、この第一連結体３Ａに対して相対回動自在に連結され本体部１の基端部に設けられる取付部１ａに嵌着する第二連結体３Ｂとを有する。
【００２８】
この第一連結体３Ａの内部には、例えば本出願人が特許公開２００３−２０２０１３にて提案する回動付勢構造（図示省略）が内装されており、第二連結体３Ｂの端部から突出した被押圧部３ａを押圧することで回動付勢構造における回動阻止状態が解除されて作動して、第一連結体３Ａと第二連結体３Ｂを相対回動付勢するように構成されている。
【００２９】
従って、回動付勢部３に設けた被押圧部３ａに対する押し込み操作することで、第一連結体３Ａと第二連結体３Ｂが相対回動し、本体部１に対して重合部２が開放方向に回動することになる。
【００３０】
また、この回動付勢部３が作動するよう操作する開放操作部４を本体部１に設けるとともに、この開放操作部４に付与した操作動力を回動付勢部３に伝達する動力伝達部５を本体部１に設けている。
【００３１】
具体的には、この動力伝達部５は、前記開放操作部４の操作動力を受ける動力受け部７ａを力点として擺動する擺動体７の作用点が前記回動付勢部３が作動するよう作用する作用部７ｂとして機能するように設けて構成されている。
【００３２】
開放操作部４は、図２〜４に図示したように適宜な金属製の部材で形成したスライド体４Ａを、本体部１に設けた配設部１ｂにスライド自在に設けて構成されており、本体部１の側部１Ｂ（側面）にして重合部２との枢着部６となる取付部１ａよりも基端側の部位に設けた開口部１ｃからスライド体４Ａの一部が突出する状態に設けられている。
【００３３】
このスライド体４Ａは、本体部１を持つ手の指（例えば親指）で本体部１の前後方向（長さ方向）にスライドさせることができる。
【００３４】
また、スライド体４Ａは、前方向にスライドさせた際に戻り付勢が生じるように構成されている。
【００３５】
具体的には、スライド体４Ａは、図２，３に図示したように配設部１ｂに設けられる付勢体10の付勢に抗して前方向にスライドするように構成されている。
【００３６】
この付勢体10は、前記スライド体４Ａを該スライド体４Ａのスライドに連動する後述する擺動体７に対して離反する方向に付勢するものである。
【００３７】
また、スライド体４Ａの先端部には傾斜部４ａが形成されており、スライド体４Ａを付勢体10の付勢に抗してスライドさせた際、この傾斜部４ａを擺動体７の動力受け部７ａが乗り上がることで擺動体７を擺動させることになる。
【００３８】
従って、このスライド体４Ａにおける付勢体10の戻り付勢に抗したスライド操作により擺動体７の動力受け部７ａに該スライド体４Ａの操作動力を付与し得ることになる。
【００３９】
擺動体７は、図２，３に図示したように適宜な金属製の部材で形成した棒状体であり、本体部１の配設部１ｂにしてスライド体４Ａと回動付勢部３との間の位置に軸体13を介して回動自在に設けられている。
【００４０】
また、この擺動体７の一端部はスライド体４Ａの傾斜部４ａの近傍位置に配され、他端部は回動付勢部３の被押圧部３ａの近傍位置に配されており、この擺動体７における枢着部７ｃ（支点）を境とした一端部は開放操作部４の操作動力を受ける動力受け部７ａ（梃子の原理で言う力点）として機能し、他端部は前記回動付勢部３が作動するよう作用する作用部７ｂ（梃子の原理で言う作用点）として機能する。
【００４１】
従って、開放操作部４に係るスライド体４Ａをスライドさせた際、該スライド体４Ａの傾斜部４ａを擺動体７の動力受け部７ａが乗り上がることで該擺動体７は擺動し、この擺動体７の擺動により該擺動体７の作用部７ｂは回動付勢部３の被押圧部３ａを押圧することになる。
【００４２】
以上のように、前述した構成のスライド体４Ａと擺動体７とで動力伝達部５が構成されている。
【００４３】
以上の構成からなる本実施例に係るヒンジ装置における本体部１に対する重合部２の開放操作について説明する。
【００４４】
先ず、図４，５に図示した状態から開放操作部４に係るスライド体４Ａを本体部１の前方向（長さ方向）にスライドさせる。この際、付勢体10の戻り付勢に抗しながらのスライド操作となる。
【００４５】
このスライド体４Ａのスライドに際して該スライド体４Ａの傾斜部４ａを擺動体７の動力受け部７ａが乗り上がると、該擺動体７に設けた作用部７ｂが回動付勢部３の被押圧部３ａを押圧する（図６，７参照）。
【００４６】
この擺動体７の作用部７ｂにより被押圧部３ａが押圧されることで、回動付勢部３は作動し、第一連結体３Ａと第二連結体３Ｂが相対回動し、本体部１に対して重合部２が開放方向に回動することになる（図１参照）。
【００４７】
その後、スライド体４Ａを操作する指を離すと、付勢体10の戻り付勢によりスライド体４Ａは戻りスライドするとともに、被押圧部３ａの押し戻しにより作用部７ｂは押し戻されて擺動体７も戻り擺動することになる。
【００４８】
本実施例は上述のように構成したから、前述した従来から提案されるものと異なり、開放操作部４は第一部材１と第二部材２との枢着部６及びヒンジ装置の同一軸延長線上でない位置に設けられているから、重合部２が回動付勢部３の回動付勢により開放してその衝撃が本体部１に掛かった際、本体部１を回転させることなく該本体部１の左右側部を堅固に持った状態が得られることになるから（第一部材１を離してしまうことが可及的に防止されるから）、第一部材１と第二部材２とからなる筐体を落下させてしまうことを可及的に防止することができる。
【００４９】
また、本実施例は、動力伝達部５は、前記開放操作部４の操作動力を受ける動力受け部７ａを力点として擺動する擺動体７の作用点が前記回動付勢部３が作動するよう作用する作用部７ｂとして機能するように設けて構成されており、梃子の原理を利用して少ない力で作動させることができ、第一部材１に対する第二部材２の開放操作が簡易且つ楽に行えることになり、しかも、この点においても落下させてしまうことが可及的に防止されることになる。
【００５０】
また、本実施例は、回動付勢部３に設けた被押圧部３ａに対する押し込み操作により作動するように回動付勢部３は構成されており、擺動体７の擺動により被押圧部３ａを押圧する作用部７ｂを擺動体７に設けたから、簡易な構造で確実に回動付勢部を作動させることができることになる。
【００５１】
また、本実施例は、開放操作部４は付勢体10の戻り付勢に抗して第一部材１の長さ方向にスライド自在に設けられており、この付勢体10の戻り付勢に抗した開放操作部４のスライド操作により動力受け部７ａに該開放操作部４の操作動力を付与し得るように構成されているから、常に回動付勢部３を作動させる為の状態が得られることになる。
【００５２】
尚、本発明は、本実施例に限られるものではなく、各構成要件の具体的構成は適宜設計し得るものである。
【図面の簡単な説明】
【００５３】
【図１】本実施例の使用状態説明図である。
【図２】本実施例に係る要部を示す斜視図である。
【図３】本実施例に係る要部を示す分解斜視図である。
【図４】本実施例に係る要部の動作説明図である。
【図５】本実施例に係る要部の動作説明図である。
【図６】本実施例に係る要部の動作説明図である。
【図７】本実施例に係る要部の動作説明図である。
【符号の説明】
【００５４】
１  第一部材
１Ａ 上面
１ａ 取付部
２  第二部材
２ａ 取付部
３  回動付勢部
３Ａ 第一連結部
３Ｂ 第二連結部
３ａ  被押圧部
４  開放操作部
５  動力伝達部
６  枢着部
７  擺動体
７ａ  動力受け部
７ｂ  作用部
10  付勢体
11  操作部
12  ディスプレイ部
【図１】
0004555844.tif 000002
【図２】
0004555844.tif 000003
【図３】
0004555844.tif 000004
【図４】
0004555844.tif 000005
【図５】
0004555844.tif 000006
【図６】
0004555844.tif 000007
【図７】
0004555844.tif 000008